【手続補正書】
【提出日】平成24年11月1日(2012.11.1)
【手続補正１】
【補正対象書類名】明細書
【補正対象項目名】０１０８
【補正方法】変更
【補正の内容】
【０１０８】
（表１）
（面データ）
面番号        r           d          nd          νd
物面          ∞          ∞
1         18.6779      1.30      1.85135      40.10 
2*         7.8525      7.25
3        -94.6821      1.00      1.83481      42.72 
4         34.1506      0.31
5         18.6651      2.51      1.86074      23.06 
6         78.9142    （可変） 
7*        18.1125      1.30      1.83441      37.28 
8         12.2772      1.76      1.59319      67.87 
9      -2494.0282    （可変） 
10（絞り）   ∞         1.00
11         23.3375      1.67      1.74400      44.78 
12        -19.5626      1.00      1.67270      32.11 
13       -219.6865      2.59
14        106.9379      1.53      1.80486      24.73 
15         28.0039      1.36
16        352.0524      0.83      1.79952      42.24 
17         10.0128      2.17      1.69350      53.20 
18*       -38.1016      (Bf) 
像面          ∞
（非球面データ）
第2面
κ  ＝  0.6460
A4  ＝  1.2719E-05
A6  ＝  5.3251E-07
A8  ＝ -4.7392E-09
A10 ＝  4.5963E-11
第7面
κ  ＝ -1.0893
A4  ＝  3.0467E-05
A6  ＝  9.8555E-08
A8  ＝ -1.0556E-08
A10 ＝  2.2926E-10
第18面
κ  ＝  1.0000
A4  ＝  6.6102E-05
A6  ＝  5.9125E-08
A8  ＝  3.8159E-08
A10 ＝ -1.1681E-09
（各種データ）
ズーム比       2.825
Ｗ          Ｍ          Ｔ
f  =  10.30       17.30       29.10
FNO  =   3.31        4.22        5.78
2ω  =  77.58       49.65       30.52
Y  =   7.962       7.962       7.962
TL  =  73.80       67.53       72.19
Bf  =  18.7255     26.4381     39.4394
d6     23.5020      9.5180      1.1743
d9      3.9922      3.9922      3.9922
（合焦レンズ群移動量データ）
Ｗ          Ｍ          Ｔ
f  =  10.3000     17.3000     29.0999
ΔFx  =   0.36655     0.18679     0.11743
撮影倍率-0.01倍時の間隔データ
d0     1007.2359   1711.1536   2893.2744
f        10.3000     17.3000     29.0999
d6       23.86855     9.70478     1.29170
d9        3.62564     3.80541     3.87477
Bf       18.72545    26.43808    39.43937
（ズームレンズ群データ）
群        始面          焦点距離
１          １      −１７．９７４４
２          ７        １９．８０４４
（条件式対応値）
ｆｗ＝１０．３０００
ｆｔ＝２９．０９９９
ｆｆ＝３６．６５０４
ｆｓ＝２６．０９７８
ｆａ＝−９８．３４２５
ｄ１−２＝７．２５００
ｆγｗ＝−０．２８２
βＧ２ｆｗ＝−２．６６８
βＧ２ｆｔ＝４．２６５
（１）  ｆａ／ｆｓ＝−３．７６８
（２）  ｜ｆｗ／ｆｆ｜＝０．２８１
（３）  ｜ｆγｗ｜＝０．２８２
（４）  ｆｆ／ｆｓ＝１．４０４
（５）  （ｄ１−２）／ｆｔ＝０．２４９
（６）  ｜βＧ２ｆｗ｜＝２．６６８
（７）  ｜βＧ２ｆｔ｜＝４．２６５
【手続補正２】
【補正対象書類名】明細書
【補正対象項目名】０１２４
【補正方法】変更
【補正の内容】
【０１２４】
（表２）
（面データ）
面番号        r           d          nd          νd
物面          ∞          ∞
1         16.2784      1.30      1.85135      40.10 
2*         8.9447      5.30
3       -301.3986      1.00      1.88300      40.76 
4         12.6615      1.06
5         18.9306      1.56      1.76346      26.38 
6         27.0707      1.36
7         18.2904      2.18      1.86074      23.06 
8         58.5517    （可変） 
9*        16.7318      1.39      1.85135      40.10 
10         11.1081      1.81      1.58090      57.73 
11        676.4968    （可変） 
12（絞り）   ∞         1.00
13        134.3575      1.83      1.75197      47.49 
14        -10.0350      1.00      1.83781      31.56 
15        -34.0385      1.80
16*        13.9946      1.35      1.77377      47.17 
17         24.7571      2.13
18        -54.0166      0.80      1.89370      35.17 
19          9.5527      1.80      1.73077      40.50 
20*       -53.9739      (Bf) 
像面          ∞
（非球面データ）
第2面
κ  ＝  0.1601
A4  ＝  9.1340E-05
A6  ＝  4.5205E-07
A8  ＝  5.5818E-09
A10 ＝ -2.4977E-11
第9面
κ  ＝ -3.5386
A4  ＝  1.0402E-04
A6  ＝ -8.0989E-07
A8  ＝  1.5095E-08
A10 ＝ -1.1446E-10
第16面
κ  ＝ -0.0568
A4  ＝  1.5624E-04
A6  ＝  1.5318E-06
A8  ＝  1.2547E-08
A10 ＝  0.0000E+00
第20面
κ  ＝  1.0000
A4  ＝  1.9868E-04
A6  ＝  1.8409E-06
A8  ＝  9.4693E-08
A10 ＝ -1.4396E-09
（各種データ）
ズーム比       2.825
Ｗ          Ｍ          Ｔ
f  =  10.30       17.30       29.10
FNO  =   3.51        4.14        5.77
2ω  =  78.16       49.68       30.56
Y  =   7.962       7.962       7.962
TL  =  74.56       70.81       77.93
Bf  =  20.7334     29.3225     43.8013
d8     21.1546      8.8150      1.4524
d11      4.0108      4.0108      4.0108
（合焦レンズ群移動量データ）
Ｗ          Ｍ          Ｔ
f  =  10.3000     17.3001     29.1002
ΔFx  =   0.26202     0.14965     0.09679
撮影倍率-0.01倍時の間隔データ
d0     1010.2853   1712.6264   2894.1760
f        10.3000     17.3001     29.1002
d8       21.41652     8.96456     1.54914
d11       3.74878     3.86115     3.91401
Bf       20.73340    29.32251    43.80132
（ズームレンズ群データ）
群        始面          焦点距離
１          １      −１６．００００
２          ９        １９．６３２１
（条件式対応値）
ｆｗ＝１０．３０００
ｆｔ＝２９．１００２
ｆｆ＝３７．５００１
ｆｓ＝４６．２９２３
ｆａ＝１３６．９８７
ｄ１−２＝５．２９５７
ｆγｗ＝−０．３９４
βＧ２ｆｗ＝−４．４８５１
βＧ２ｆｔ＝３．３０６６
（１）  ｆａ／ｆｓ＝２．９５９
（２）  ｜ｆｗ／ｆｆ｜＝０．２７５
（３）  ｜ｆγｗ｜＝０．３９４
（４）  ｆｆ／ｆｓ＝０．８１０
（５）  （ｄ１−２）／ｆｔ＝０．１８２
（６）  ｜βＧ２ｆｗ｜＝４．４８５
（７）  ｜βＧ２ｆｔ｜＝３．３０７
【手続補正３】
【補正対象書類名】明細書
【補正対象項目名】０１３９
【補正方法】変更
【補正の内容】
【０１３９】
（表３）
（面データ）
面番号        r           d          nd          νd
物面          ∞          ∞
1         18.4021      1.30      1.85135      40.10 
2*         9.4660      5.19
3        106.6621      1.00      1.88300      40.76 
4         12.4920      1.75
5         18.3528      1.77      1.84666      23.78 
6         28.9480      0.65
7         17.1399      2.08      1.80809      22.79 
8         32.7787    （可変） 
9*        15.0062      0.80      1.83441      37.28 
10          9.9310      1.70      1.74100      52.67 
11         36.5917    （可変） 
12*        20.2806      1.24      1.58913      61.25 
13        519.9944      0.80
14（絞り）   ∞         1.00
15         33.1718      2.09      1.61720      54.01 
16        -13.7000      1.00      1.74077      27.78 
17        -47.2996      0.81
18           ∞         1.00
19        -12.0144      0.80      1.83400      37.16 
20         10.7146      3.37      1.73077      40.50 
21*       -14.3627      (Bf) 
像面          ∞
（非球面データ）
第2面
κ  ＝ -0.8688
A4  ＝  2.2426E-04
A6  ＝ -1.1858E-07
A8  ＝  2.0865E-09
A10 ＝  0.0000E+00
第9面
κ  ＝  1.5382
A4  ＝ -4.3414E-05
A6  ＝  1.8507E-08
A8  ＝ -3.1873E-08
A10 ＝  9.2225E-10
第12面
κ  ＝  1.0000
A4  ＝  6.9511E-05
A6  ＝  8.0932E-07
A8  ＝ -2.7525E-09
A10 ＝  0.0000E+00
第21面
κ  ＝  1.0000
A4  ＝  7.5377E-05
A6  ＝  6.6313E-07
A8  ＝  0.0000E+00
A10 ＝  0.0000E+00
（各種データ）
ズーム比       2.825
Ｗ          Ｍ          Ｔ
f  =  10.30       17.30       29.10
FNO  =   3.57        4.27        5.80
2ω  =  77.45       49.72       30.58
Y  =   7.962       7.962       7.962
TL  =  74.59       69.93       76.27
Bf  =  19.7396     28.1183     42.2423
d8     22.2705      9.2305      1.4500
d11      4.2370      4.2370      4.2370
（合焦レンズ群移動量データ）
Ｗ          Ｍ          Ｔ
f  =  10.3000     17.3001     29.1002
ΔFx  =   0.29387     0.16110     0.10384
撮影倍率-0.01倍時の間隔データ
d0     1008.7799   1711.7323   2893.5651
f        10.3000     17.3001     29.1002
d8       22.56436     9.39160     1.55387
d11       3.94313     4.07590     4.13316
Bf       19.73960    28.11827    42.24230
（ズームレンズ群データ）
群        始面          焦点距離
１          １      −１６．６５３０
２          ９        １９．９３２９
（条件式対応値）
ｆｗ＝１０．３０００
ｆｔ＝２９．０９９９
ｆｆ＝３６．２５１３
ｆｓ＝４０．００００
ｆａ＝−５２．４４７１
ｄ１−２＝５．１８８１
ｆγｗ＝−０．３５１３
βＧ２ｆｗ＝３．５０１１
βＧ２ｆｔ＝３．４６３７
（１）  ｆａ／ｆｓ＝−１．３１１
（２）  ｜ｆｗ／ｆｆ｜＝０．２８４
（３）  ｜ｆγｗ｜＝０．３５１
（４）  ｆｆ／ｆｓ＝０．９０６
（５）  （ｄ１−２）／ｆｔ＝０．１７８
（６）  ｜βＧ２ｆｗ｜＝３．５０１
（７）  ｜βＧ２ｆｔ｜＝３．４６４
【手続補正４】
【補正対象書類名】明細書
【補正対象項目名】０１５４
【補正方法】変更
【補正の内容】
【０１５４】
（表４）
（面データ）
面番号        r           d          nd          νd
物面          ∞          ∞
1*        65.6582      1.80      1.76802      49.23 
2*        11.1606     10.60
3        -41.8065      3.20      1.76802      49.23 
4*        17.5136      3.80
5         14.4408      2.30      1.92286      20.88 
6         23.0940    （可変） 
7         13.2190      1.50      1.75500      52.32 
8         37.9290    （可変） 
9（絞り）   ∞         1.50
10         21.6826      6.50      1.49782      82.56 
11         -9.3713      1.00      1.88300      40.77 
12        -50.0183      1.42
13         11.9486      1.20      1.90366      31.31 
14          7.9899      2.50      1.49782      82.56 
15       -409.7597      1.25
16      -5817.7134      1.80      1.49782      82.56 
17        -17.3100      0.40
18        -13.7854      1.20      1.76802      49.23 
19*       -21.3255      (Bf) 
像面          ∞
（非球面データ）
第1面
κ  ＝ 11.2695
A4  ＝  6.5208E-08
A6  ＝  4.5111E-09
A8  ＝  0.0000E+00
A10 ＝  0.0000E+00
第2面
κ  ＝ -0.6591
A4  ＝  0.0000E+00
A6  ＝  0.0000E+00
A8  ＝  0.0000E+00
A10 ＝  0.0000E+00
第4面
κ  ＝  2.7380
A4  ＝  1.5432E-04
A6  ＝  3.8186E-07
A8  ＝  0.0000E+00
A10 ＝  0.0000E+00
第19面
κ  ＝-21.6774
A4  ＝ -1.3542E-04
A6  ＝  5.0739E-06
A8  ＝ -6.2280E-08
A10 ＝  0.0000E+00
（各種データ）
ズーム比       1.828
Ｗ          Ｍ          Ｔ
f  =   6.90        9.50       12.61
FNO  =   3.62        4.52        5.77
2ω  =  98.83       79.61       63.97
Y  =   7.962       7.962       7.962
TL  =  70.23       68.58       69.98
Bf  =  14.6644     19.2561     24.7483
d6     11.9986      5.7487      1.6581
d8      1.5974      1.5974      1.5974
（合焦レンズ群移動量データ）
Ｗ          Ｍ          Ｔ
f  =   6.9000      9.5000     12.6100
ΔFx  =   0.14189     0.09426     0.07147
撮影倍率-0.01倍時の間隔データ
d0      675.3095    936.2195   1247.7556
f         6.9000      9.5000     12.6100
d6       12.14042     5.84296     1.72955
d8        1.45551     1.50314     1.52593
Bf       14.66442    19.25605    24.74834
（ズームレンズ群データ）
群        始面          焦点距離
１          １        −９．４４５８
２          ７        １６．６８１３
（条件式対応値）
ｆｗ＝６．９０００
ｆｔ＝１２．６１００
ｆｆ＝２６．１９１２
ｆｓ＝３５．２６３７
ｆａ＝１０１．５４９５
ｄ１−２＝１０．６０００
ｆγｗ＝−０．４８７２
βＧ２ｆｗ＝−３．３９１２
βＧ２ｆｔ＝１０．００７２
（１）  ｆａ／ｆｓ＝２．８８０
（２）  ｜ｆｗ／ｆｆ｜＝０．２６３
（３）  ｜ｆγｗ｜＝０．４８７
（４）  ｆｆ／ｆｓ＝０．７４３
（５）  （ｄ１−２）／ｆｔ＝０．８４１
（６）  ｜βＧ２ｆｗ｜＝３．３９１
（７）  ｜βＧ２ｆｔ｜＝１０．００７
【手続補正５】
【補正対象書類名】明細書
【補正対象項目名】０１６９
【補正方法】変更
【補正の内容】
【０１６９】
（表５）
（面データ）
面番号        r           d          nd          νd
物面          ∞          ∞
1         25.0000      1.80      1.77377      47.17 
2*         8.2000      5.44
3        195.9606      0.80      1.75500      52.32 
4         27.4972      1.32
5         16.4792      2.39      1.84666      23.78 
6         33.0474    （可変） 
7         48.1225      0.80      1.80810      22.76 
8         29.9061      1.89      1.65160      58.55 
9        -48.2389    （可変） 
10           ∞         0.67
11          9.6847      1.93      1.60300      65.44 
12         26.0017      1.00
13（絞り）   ∞         1.10
14           ∞         0.20
15     -34215.1520      0.80      1.82080      42.71 
16*        16.7358      0.61
17           ∞         1.15
18         20.3058      1.72      1.49700      81.54 
19        -90.6802      0.80      1.83400      37.16 
20         17.5527      0.44
21         12.3817      2.16      1.66910      55.42 
22*       -74.1839      (Bf) 
像面          ∞
（非球面データ）
第2面
κ  ＝  0.6129
A4  ＝  1.9233E-05
A6  ＝  1.4470E-07
A8  ＝  1.3914E-09
A10 ＝  1.5950E-12
第16面
κ  ＝  0.1365
A4  ＝ -3.4023E-05
A6  ＝  1.6026E-06
A8  ＝ -2.1064E-07
A10 ＝  7.1553E-09
第22面
κ  ＝ -8.5088
A4  ＝  2.4559E-04
A6  ＝  2.7667E-06
A8  ＝ -3.1696E-08
A10 ＝  4.6513E-10
（各種データ）
ズーム比       2.825
Ｗ          Ｍ          Ｔ
f  =  10.30       18.75       29.10
FNO  =   3.64        4.59        5.86
2ω  =  78.83       46.51       30.69
Y  =   7.962       7.962       7.962
TL  =  73.78       67.23       71.78
Bf  =  20.0062     29.3544     40.8045
d6     23.7984      7.8948      1.0000
d9      6.9185      6.9185      6.9185
（合焦レンズ群移動量データ）
Ｗ          Ｍ          Ｔ
f  =  10.3000     18.7500     29.1000
ΔFx  =   4.45572     1.20699     0.57516
撮影倍率-0.01倍時の間隔データ
d0      880.7722   1768.0822   2809.2484
f        10.3000     18.7500     29.1000
d6       37.47672    18.32442    10.79778
d9        2.46278     5.71151     6.34334
Bf       26.97504    36.32324    47.77340
（ズームレンズ群データ）
群        始面          焦点距離
１          １      −１８．１２６０
２          ７        ２０．０５２８
（条件式対応値）
ｆｗ＝１０．３０００
ｆｔ＝２９．１０００
ｆｆ＝４０．２７９８
ｆｓ＝−２０．３７９５
ｆａ＝２７．６２３１
ｄ１−２＝５．４４００
ｆγｗ＝−０．２９９４
βＧ２ｆｗ＝−３．７０６５
βＧ２ｆｔ＝３．３７６０
（１）  ｆａ／ｆｓ＝−１．３５５
（２）  ｜ｆｗ／ｆｆ｜＝０．２５６
（３）  ｜ｆγｗ｜＝０．２９９
（４）  ｆｆ／ｆｓ＝−１．９７６
（５）  （ｄ１−２）／ｆｔ＝０．１８７
（６）  ｜βＧ２ｆｗ｜＝３．７０７
（７）  ｜βＧ２ｆｔ｜＝３．３７６
【手続補正６】
【補正対象書類名】明細書
【補正対象項目名】０１８４
【補正方法】変更
【補正の内容】
【０１８４】
（表６）
（面データ）
面番号        r           d          nd          νd
物面          ∞          ∞
1         21.5900      1.80      1.77377      47.17 
2*         8.3834      5.81
3       -330.2204      0.80      1.75500      52.32 
4         20.4287      0.90
5         34.6426      1.58      1.69895      30.13 
6         56.8065      0.20
7         17.3398      2.42      1.80518      25.42 
8         40.5926    （可変） 
9         38.9358      0.80      1.84666      23.78 
10         20.3696      2.02      1.64000      60.08 
11        -52.1553    （可変） 
12           ∞         0.40
13（絞り）   ∞         0.40
14          8.7558      2.14      1.60300      65.44 
15         11.3294      2.22
16         25.7295      1.53      1.77377      47.17 
17*       836.1941      0.55
18           ∞         1.15
19        -63.5509      1.90      1.49700      81.54 
20        -10.3135      0.80      1.83481      42.71 
21         12.9668      0.50
22         13.3652      2.59      1.66910      55.42 
23*       -20.7258      (Bf) 
像面          ∞
（非球面データ）
第2面
κ  ＝  0.6895
A4  ＝  2.9268E-06
A6  ＝  5.0186E-08
A8  ＝  2.0720E-09
A10 ＝-2.1936E-11
第17面
κ  ＝ 11.0000
A4  ＝  1.1167E-05
A6  ＝  1.2804E-06
A8  ＝ -9.7386E-08
A10 ＝  2.7299E-09
第23面
κ  ＝  3.1942
A4  ＝  1.5565E-04
A6  ＝  1.5752E-06
A8  ＝  1.9610E-08
A10 ＝  9.0671E-11
（各種データ）
ズーム比       2.825
Ｗ          Ｍ          Ｔ
f  =  10.30       18.75       29.10
FNO  =   3.64        4.57        5.86
2ω  =  78.82       46.27       30.58
Y  =   7.962       7.962       7.962
TL  =  75.78       69.22       73.78
Bf  =  18.4425     27.8042     39.2710
d8     23.8288      7.9040      1.0000
d11      3.0141      3.0141      3.0141
（合焦レンズ群移動量データ）
Ｗ          Ｍ          Ｔ
f  =  10.3000     18.7500     29.1000
ΔFx  =   0.33741     0.17897     0.12482
撮影倍率-0.01倍時の間隔データ
d0      887.6920   1768.8032   2809.1446
f        10.3000     18.7500     29.1000
d8       24.16620     8.08298     1.12481
d11       2.67669     2.83513     2.88928
Bf       18.44270    27.80445    39.27122
（ズームレンズ群データ）
群        始面          焦点距離
１          １      −１８．１２５０
２          ９        ２０．０８０７
（条件式対応値）
ｆｗ＝１０．３０００
ｆｔ＝２９．１０００
ｆｆ＝４２．２４１０
ｆｓ＝３４．２７９７
ｆａ＝−６５．０２５０
ｄ１−２＝５．８０７１
ｆγｗ＝−０．３０５９
βＧ２ｆｗ＝−４．３４９１
βＧ２ｆｔ＝３．２２０６
（１）  ｆａ／ｆｓ＝−１．８９７
（２）  ｜ｆｗ／ｆｆ｜＝０．２４４
（３）  ｜ｆγｗ｜＝０．３０６
（４）  ｆｆ／ｆｓ＝１．２３２
（５）  （ｄ１−２）／ｆｔ＝０．２００
（６）  ｜βＧ２ｆｗ｜＝４．３４９
（７）  ｜βＧ２ｆｔ｜＝３．２２１
【手続補正７】
【補正対象書類名】明細書
【補正対象項目名】０２００
【補正方法】変更
【補正の内容】
【０２００】
（表７）
（面データ）
面番号        r           d          nd          νd
物面          ∞          ∞
1         25.0000      1.80      1.74330      49.32 
2*         8.5722      5.23
3        -31.9974      0.80      1.49700      81.54 
4         25.7099      0.15
5         16.2678      2.16      1.84666      23.78 
6         33.0579    （可変） 
7         27.3560      0.80      1.79504      28.69 
8         12.7778      2.62      1.60300      65.44 
9        -27.7840    （可変） 
10           ∞         0.68
11         10.6214      2.34      1.60300      65.44 
12         28.5797      1.86
13（絞り）   ∞         1.10
14*       -27.4165      1.37      1.82115      24.06 
15        -17.0648      0.80      1.75500      52.32 
16         21.3149      0.55
17           ∞       （可変） 
18         18.9858      2.05      1.67790      54.89 
19*       -30.4460      0.15
20        155.5536      0.80      1.85026      32.35 
21         12.8042      2.38      1.60300      65.44 
22        -74.1840      (Bf) 
像面          ∞
（非球面データ）
第2面
κ  ＝  0.8028
A4  ＝ -2.1183E-06
A6  ＝ -2.6605E-09
A8  ＝  1.1966E-09
A10 ＝ -3.0855E-11
第14面
κ  ＝ -7.4148
A4  ＝  2.7745E-05
A6  ＝ -2.0384E-06
A8  ＝ -2.7176E-07
A10 ＝ -9.6003E-09
第19面
κ  ＝  0.2983
A4  ＝  1.5880E-04
A6  ＝  1.8851E-06
A8  ＝ -5.0971E-08
A10 ＝  8.8426E-10
（各種データ）
ズーム比       2.825
Ｗ          Ｍ          Ｔ
f  =  10.30       18.75       29.10
FNO  =   3.64        4.23        5.86
2ω  =  78.78       46.56       30.67
Y  =   7.962       7.962       7.962
TL  =  66.55       62.74       68.78
Bf  =  15.4801     25.2812     36.7848
d6     17.8651      5.8489      1.0000
d9      2.3653      2.3653      2.3653
d17      3.2097      1.6140      1.0000
（合焦レンズ群移動量データ）
Ｗ          Ｍ          Ｔ
f  =  10.3000     18.7500     29.1000
ΔFx  =   0.27154     0.12586     0.0844
撮影倍率-0.01倍時の間隔データ
d0     1006.0724   1855.1767   2891.6589
f        10.3000     18.7500     29.1000
d6       18.13661     5.97474     1.08438
d9        2.09376     2.23944     2.28090
d17       3.20972     1.61399     1.00000
Bf       15.48033    25.28137    36.78498
（ズームレンズ群データ）
群        始面          焦点距離
１          １      −１５．３５４２
２          ７        ２６．５５５２
３        １８        １９．４７５７
（条件式対応値）
ｆｗ＝１０．３０００
ｆｔ＝２９．１０００
ｆｆ＝２８．４５３６
ｆｓ＝−１５．９６７９
ｆａ＝１９．４７５７
ｄ１−２＝５．２２８４
ｆγｗ＝−０．３８１０３
βＧ２ｆｗ＝−２．５５４１
βＧ２ｆｔ＝４．９７０２
（１）  ｆａ／ｆｓ＝−１．２２０
（２）  ｜ｆｗ／ｆｆ｜＝０．３６２
（３）  ｜ｆγｗ｜＝０．３８１
（４）  ｆｆ／ｆｓ＝−１．７８２
（５）  （ｄ１−２）／ｆｔ＝０．１８０
（６）  ｜βＧ２ｆｗ｜＝２．５５４
（７）  ｜βＧ２ｆｔ｜＝４．９７０